(57)【特許請求の範囲】
【請求項１】
内視鏡先端部に撮像装置と処置具用チャンネルとを有する内視鏡装置において、
前記撮像装置は、
複数の光学レンズで構成された観察光学系と、
この観察光学系の焦点位置に撮像面を配置した固体撮像素子と、
この固体撮像素子の撮像面を被覆する光透過性の被覆部材と、
前記固体撮像素子の撮像面より前記観察光学系側に配設された、開口部を有する遮光マスクと、
を具備し、
前記遮光マスクにおける開口部は、当該観察光学系の光軸に対して前記処置具用チャンネルが配設される方向に偏心して形成されることを特徴とする内視鏡装置。
【発明の詳細な説明】
【０００１】
【発明の属する技術分野】
本発明は、内視鏡の挿入部の先端部に配設される内視鏡装置に関する。
【０００２】
【従来の技術】
近年、電子技術の発達に伴い、内視鏡の分野においても電子化が進み、電荷結合素子（ＣＣＤ）などの固体撮像素子（以下ＳＩＤと記載する）を撮像手段に用いた撮像装置を挿入部の先端部に配設した電子内視鏡が各種用いられている。
【０００３】
この電子内視鏡の挿入部先端の先端硬質部に設けられた撮像装置は、先端側から順に複数のレンズ系からなる観察光学系、この観察光学系でとらえた光学像を電気信号に光電変換するＳＩＤと、このＳＩＤの出力を増幅等するための部品を実装した回路基板などで構成されている。前記回路基板には、ビデオプロセッサに接続されるケーブルが電気的に接続され、このケーブルを介してＳＩＤで光電変換された電気信号がビデオプロセッサに供給されるようになっている。
【０００４】
一般的に、前記ＳＩＤの受光面の周辺部に配設されている配線用のランドやワイヤーなどは、電気伝導性を良くするため、金，銀，銅などの金属部材が用いられている。これら金属部材は、表面が滑らかであるので光を強く反射する。このため、観察光学系に入射した入射光の一部がＳＩＤの受光面以外の周辺部に配設されているこれら金属部材で乱反射を起こし、その反射光がＳＩＤの受光面に入射して、フレアーやゴーストの原因になって観察画像の画質を損なうことがあった。
【０００５】
上記問題を解決するため、特公平６−６０９７２号公報には、ＳＩＤの受光面の前面に、前記ＳＩＤの受光面以外の部分に入射する光を遮断するために反射防止処理を施した遮光マスクを設け、ＳＩＤの受光面以外に入射した光が受光面に入射してフレアーやゴーストの要因となることを防止した撮像装置が示されている。
【０００６】
【発明が解決しようとする課題】
しかしながら近年、内視鏡の小型・小径化が進むと共に、ＳＩＤチップの実装方法も従来のワイヤボンディング方式に代わり、ＴＡＢ，フリップチップボンディング方式等のフェースダウンボンディングが主流になってきた。このため、図１４に示すようにワイヤボンディング方式による実装時のＳＩＤチップ１０１の受光エリア１０１ａとカバーガラス１０３との間隔が従来より狭まっている。また、同図のＳＩＤチップ１０１の受光面１０１ａからパッケージ端面部１０２までの距離ａ1 に比べて、図１５に示すフェースダウンボンディング方式によるＳＩＤチップ１０１ではこのＳＩＤチップ１０１の外形寸法と、パッケージング後の寸法とが略々同寸法になることにより、ＳＩＤチップ１０１の受光面１０１ａからパッケージ端面部１０２までの距離ａ2 が非常に短縮されている。
【０００７】
この結果、図１６（ａ）に示すように内視鏡１０５の先端面１０５ａから突出している把持鉗子１０６などに照明窓１０５ｂから出射した照明光が反射して発生する今まで問題とならなかった高輝度な光が観察窓１０５ｃに入射したとき、同図（ｂ）に示すように遮光マスク１０７で前記把持鉗子１０６で反射した高輝度な光線がカバーガラス１０８ｂの側面に反射してＳＩＤチップ１０１の受光面１０１ａに入射することを防止することができない。この結果、同図（ｃ）に示すようにモニタ１１０に表示される内視鏡像１１１にフレアー１１２やゴーストなどが発生して、内視鏡像に悪影響を及ぼしていた。
【０００８】
また、図１７に示すようにＳＩＤチップ１０１の受光面１０１ａからボンディングパッド１０９ａまでの距離ｂ1 と受光面１０１ａからボンディングパッド１０９ｂまでの距離ｂ2 との間に例えば、ｂ1 ＞ｂ2 という関係があり、遮光マスク１０７の開口部１０７ａの大きさと受光面１０１ａの大きさとを同じに設定した場合、受光面１０１ａからの距離が比較的離れている距離ｂ1 側に配置されているボンディングパッド１０９ａに観察光学系１１３に入射した破線に示すような入射光が到達しないのに対し、受光面１０１ａに近接した距離ｂ2 側に配置されているボンディングパッド１０９ｂには実線に示すような入射光が到達してしまう。
【０００９】
即ち、ＳＩＤチップの受光面からボンディングパッドまでの距離が短縮されることによって、ボンディングパッド１０９ｂに入射光が当たり、このボンディングパッド１０９ｂａや金属細線１１４の表面で乱反射が起こり、反射した光がＳＩＤチップ１０１の受光面１０１ａに入射して内視鏡像に発生するフレアー、ゴースト等の原因になっていた。
【００１０】
本発明は上記事情に鑑みてなされたものであり、固体撮像素子の受光面周辺に外光が入射することを防止した内視鏡装置を提供することを目的にしている。
【００１１】
【課題を解決するための手段】
本発明の内視鏡装置は、内視鏡先端部に撮像装置と処置具用チャンネルとを有する内視鏡装置において、前記撮像装置は、複数の光学レンズで構成された観察光学系と、この観察光学系の焦点位置に撮像面を配置した固体撮像素子と、この固体撮像素子の撮像面を被覆する光透過性の被覆部材と、前記固体撮像素子の撮像面より前記観察光学系側に配設された、開口部を有する遮光マスクと、を具備し、前記遮光マスクにおける開口部は、当該観察光学系の光軸に対して前記処置具用チャンネルが配設される方向に偏心して形成されることを特徴とする。
【００１２】
この構成によれば、遮光マスクの開口部を観察光学系の光軸に対して所望の方向に偏心させて配設することによって、固体撮像素子の撮像面の周辺部への外光の入射を遮っている。この結果、良好な画質の内視鏡像が得られる。
【００１３】
【発明の実施の形態】
以下、図面を参照して本発明の実施の形態を説明する。
図１ないし図５は本発明の第１実施形態に係り、図１は内視鏡装置の概略構成を示す説明図、図２は撮像装置の構成を説明する正面図、図３は撮像装置の構成を説明する側面図、図４は遮光マスクと受光面との位置関係を示す説明図、図５は撮像装置の遮光マスクの作用を説明する図である。
【００１４】
図１に示すように本発明の第１の実施形態の撮像装置を備える電子内視鏡１は、例えば体腔内等に挿入可能な細長の挿入部２を有しており、先端側から硬性の先端部３、複数の湾曲駒を連接して上下左右方向に湾曲可能な湾曲部４、可撓性を有する可撓管部５を連設して構成されている。
【００１５】
前記挿入部２の手元側端部には把持部を兼ねた操作部６が設けられており、操作部６の側方より信号ケーブル、ライトガイドファイバ等を内挿したユニバーサルコード７が延出している。このユニバーサルコード７の端部にはコネクタ８が設けられており、このコネクタ８を介して外部装置であるカメラ・コントロール・ユニット（以下ＣＣＵと記載する）９と前記電子内視鏡１とが着脱自在に接続されるようになっている。
【００１６】
前記ＣＣＵ９には、図示はしないが、前記電子内視鏡１に照明光を供給する光源装置が内蔵されており、この光源装置から出力された照明光がコネクタ８，ユニバーサルコード７及び挿入部２内を挿通する図示しないライトガイドファイバ束によって先端部３まで伝送されて、被写体を照射するようになっている。
【００１７】
また、前記ＣＣＵ９は、信号ケーブル１０を介してモニタ１１に接続されており、前記先端部３内に設けられていて後述する撮像装置に設けた固体撮像素子（以下ＳＩＤと略記する）で光電変換された被写体の電気信号を信号処理して、モニタ１１の画面上に内視鏡像として表示するようになっている。
【００１８】
図２及び図３に示すように前記先端部３内に配設されている撮像装置２０は、複数の光学レンズをレンズ枠２１ａに配設して構成した観察光学系となる対物レンズユニット２１と、この対物レンズユニット２１の焦点位置に受光面となる撮像面２２ａを配置したＳＩＤ２２と、このＳＩＤ２２の撮像面２２ａの前面に配置した光透過性の被覆部材であるカバーガラス２３，２４と、前記ＳＩＤ２２に接続される回路配線基板２５と、複数の信号線２６ａを内挿してこれら信号線２６ａが前記ＳＩＤ２２、または、回路配線基板２５にそれぞれ接続される信号伝送ケーブル２６と、前記ＳＩＤ２２の撮像面２２ａより前記対物レンズユニット２１側の例えばカバーガラス２３の前面に開口部２７ａが位置するように固定枠３０にエポキシ樹脂等の接着剤で接着固定された金属板製で表面に反射防止処理を施した遮光マスク２７とで主に構成されている。
【００１９】
前記ＳＩＤ２２とカバーガラス２３，２４とは透明な接着剤で組立体として一体に接着形成されており、この組立体を接着剤３１を介して固定枠３０に一体的に固着している。なお、ＳＩＤ２２の反撮像面側からから突出しているリード２２ｂは、組立体を固定枠３０に固定した後、所定の長さに切断される。
【００２０】
図４に示すように遮光マスク２７の開口部２７ａは、被写体に向かって照射された照明光が内視鏡の先端面より突出している把持鉗子に反射した反射光がカバーガラスの側面で反射して撮像面に入射することを防止するため、図に示すように鉗子チャンネルが配置されている側とは反対側に位置するＢ部側だけ撮像面２２ａが狭くなるように、前記ＳＩＤ２２の撮像面２２ａに対して位置ずれして形成されている。このため、前記組立体を固定枠３０に一体的に組込んだとき、遮光マスク２７の開口部２７ａは、前記対物レンズユニット２１の光軸中心に対して偏心した位置関係で配置される。なお、前記Ｂ部側とは反対側（鉗子チャンネル側）の領域を通り抜けて撮像面２２ａに入射する有害な反射光は無い。
【００２１】
前記回路配線基板２５上には例えば、フェースダウンボンディングにより接続された信号処理ＩＣ（不図示）を絶縁性樹脂で封止した信号処理部２８やコンデンサ等の周辺回路部品２９が搭載されている。
【００２２】
前記信号伝送ケーブル２６より分岐される信号線２６ａは、それぞれ必要な長さにストリップされた後、回路配線基板２５上に設けられている接続ランド２５ａやＳＩＤ２２から突出しているリード２２ｂにそれぞれ接続されている。そして、信号線２６ａのシールド線を信号伝送ケーブル２６のケーブル分岐部近傍でひとまとめに結束してシールド線結束部２６ｂとしている。
【００２３】
前記前記ＳＩＤ２２，固定枠３０及びカバーガラス２３，２４などを一体的に組み立てた組立体の側面部には、ＹＡＧレーザ光を遮光するため、アルミやステンレスなど遮光性の高いＹＡＧ光遮光テープ３２が貼付されている。また、このＹＡＧ光遮光テープ３２の外周側に保護チューブ３３を被せる一方、前記ＹＡＧ光遮光テープ３２の内部に接着剤３４を充填して硬化させて撮像部ユニット３５を形成している。そして、この撮像部ユニット３５と前記対物レンズユニット２１とを接着剤３６で一体的に固定して撮像装置２０を構成している。
【００２４】
上述のように構成した撮像装置２０の作用を説明する。
図４に示したように遮光マスク２７の開口部２７ａとＳＩＤ２２の撮像面２２ａとを位置ずれさせているので、被写体に向かって照射された照明光が、内視鏡の先端面から突出している把持鉗子で反射した図５の実線で示す反射光は、遮光マスク２７によって遮られるので、カバーガラス２３，２４の側面に反射して撮像面２２ａに入射しない。
【００２５】
このように、遮光マスクの開口部を、内視鏡に設けられている鉗子チャンネルが配置されている側とは反対側の撮像面が狭くなるように、ＳＩＤの受光面に対して位置ずれさせて形成することによって、対物レンズユニットの中心軸と遮光マスクの開口部とが偏心した位置関係になって、内視鏡の先端面から突出している鉗子などの処置具に反射した照明光がカバーガラスの側面で反射してＳＩＤの撮像面に入射することを防止することができる。このことにより、処置具に反射した光によるフレアー，ゴーストの発生の無い見易い内視鏡像が得られる。
【００２６】
また、フレア、ゴーストの発生する側の撮像面側に対する開口が狭くなるように遮光マスクの開口部の形状を形成するだけの簡単な構成であるため、フレアー・ゴーストを無くすために新たに、レンズ系の設計の見直しや電気的な処理の見直しを行う必要が無いので、設計工数を必要最低限にして、フレアー・ゴースト対策を安価に達成することができる。
【００２７】
なお、遮光マスクを取り付けた固定枠に対して固体撮像素子を有する組立体をを取り付ける際、３辺の位置を確認をしながら位置合わせを行えるので、組立作業に支障をきたすことなく、また特別な治工具を用いることなく従来通りの作業が可能である。
【００２８】
図６は本発明の第２実施形態に係る撮像装置のＳＩＤ近傍の構成を示す説明図である。
図に示すようにボンディングパッド４１ａ側から撮像面２２ａまでの距離Ａ1 に比べて、ボンディングパッド４１ｂ側から撮像面２２ａまでの距離Ａ2 が短いと、この撮像面２２ａの周辺部に配置されているボンディングパッド４１ｂやこのボンディングパッド４１ｂに接続されている金属細線４２に入射光が到達して、このボンディングパッド４１ｂや金属細線４２で乱反射した光がＳＩＤ２２の撮像面２２ａに入射し易い。これを防止するため、本実施形態においては距離Ａ2 側の遮光マスク２７の開口部２７ａをＳＩＤ２２の撮像面２２ａよりも内側に位置するように偏心させて形成している。なお、符号４３は封止樹脂であり、符号４４はセラミックベースである。
【００２９】
このように、ボンディングパッドから受光面までの距離が短い場合、受光面までの距離が短い側の遮光マスクの開口部を、ＳＩＤの撮像面よりも内側に位置するように形成して狭くすることにより、撮像面の周辺部に配置されているボンディングパッドや金属細線に入射する光を遮断することができる。このことによって、ボンディングパッドや金属細線に反射した光が受光面に入射して発生するフレアーやゴーストによる内視鏡像の不具合が解消される。
【００３０】
なお、遮光マスク２７に最大像高を確保するため、ＳＩＤの撮像面よりも内側に設けた遮光マスクの開口部の面取り部２７ｂを、通常の面取り部２７ｃより小さく形成している。このことにより、被写体像のけられを防止することができる。
【００３１】
以下、上記実施形態と同部材には同符号を付して説明を省略する。
ところで、図２のＣ−Ｃ断面図である図７に示すように本実施形態においてはエポキシ、フェノール等の絶縁樹脂からなる保護コート５１を、シールド線結束部２６ｂとショートする危険性のある導体部５２とを覆うように塗布している。
【００３２】
これは、回路配線基板２５に設けられている導体部５２を保護するために一般的に塗布されているインキ、セラミック等からなる保護用の半田レジスト５３が位置ずれしたり、導体部５２に印刷ずれなどが発生することによって、導体部５２が露出したり、半田レジスト５３の適正な塗布厚が確保されない場合、回路配線基板２５と信号伝送ケーブル２６とを接続後、導体部５２とシールド線結束部２６ｂとの間でのショートを防止するためである。
【００３３】
このように、シールド線結束部とショートする危険性のある回路配線基板上の導体部に保護コートを設けることによって、例えば内視鏡の湾曲部が湾曲した際などにシールド線結束部と回路配線基板とに発生する応力によって、導体部が露出することが抑えられて、導体部とシールド線結束部とがショートして発生する撮像装置の不具合を確実に防止することができる。
【００３４】
ところで、図８及び図９に示すように本実施形態においては前記図３で示したＹＡＧ光遮光テープ３２を、信号伝送ケーブル２６の先端面２６ｃまで延長させて配設している。但し、このとき前記ＹＡＧ光遮光テープ３２と他の金属部材とのショートを避けるため、ＳＩＤ２２の部分から先端面２６ｃまでの間の前記ＹＡＧ光遮光テープ３２の内層に絶縁テープ５５を配置している。
【００３５】
このように、ＹＡＧ遮光テープを信号伝送ケーブルの先端面まで延長して設けることにより、対物レンズユニットの光学経路以外から入射するＹＡＧレーザ光を遮光して良好な画像が得ることができる。
【００３６】
なお、本実施形態ではＹＡＧ光遮光テープ３２を先端面２６ｃまで延長するとしているが、対物レンズユニット２１の光学経路以外からのＹＡＧレーザ光を遮光することが可能であれば、ＳＩＤ２２の端部より先端面２６ｃ側でこの先端面２６ｃとの間の任意の位置まで延長すれば良く、その際、前記絶縁テープ５５をＹＡＧ光遮光テープ３２よりも先端面２６ｃ側に延長して長く設けることは言うまでもない。
【００３７】
ところで、図１０に示すように本実施形態においては回路配線基板２５を、電子内視鏡１に設けられている処置具挿通用チャンネルの開口部６１に連通するチャンネルチューブや照明窓６２に臨まれる照明用のライトガイドファイバ束などの内蔵物が配設されていない観察窓６３の後方の空きスペース側に配置している。
【００３８】
また、図１１（ｂ）に示すように回路配線基板２５の幅寸法を固定枠３０の外形寸法より大きく形成している。つまり、図１１（ａ）で示すように固定枠３０の外形寸法と略々同寸法に形成する代わりに前記図１０で示した空きスペースに配置可能な範囲で同図（ｂ）に示すように幅寸法を大きく形成している。このことにより、回路配線基板２５の長手方向の寸法をＢ1 だけ短かくしている。
【００３９】
このように、回路配線基板を内視鏡の空きスペース側に、この空きスペースに対して配置可能な範囲で外形寸法を大きく形成して配置することにより、図１１（ａ）に示す回路配線基板上の楕円形に囲んだＤ部のような不要スペースを省くことができると共に、回路配線基板の長手方向の寸法を短かくして撮像装置の硬質長の短縮化を図ることができる。
【００４０】
ところで、図１２に示すように本実施形態においては対物レンズユニット２１内に配置されている絞り部材６５のダレ面６６を被写体側に向けて配置するように規定している。
【００４１】
このことにより、対物レンズユニット２１に入射した光がダレ面に反射することによって干渉して発生していたフレアーを防止することができる。
なお、ダレ面６６を容易に認識することが可能なように絞り部材６５のダレ面６６側に識別マークを付けるようにしてもよい。
【００４２】
ところで、図１３の実線で示すように従来のカバーガラス７１は、略々真円形状をしていた。このため、撮像ユニットの組み立て作業の際、計測用顕微鏡などの機器を用いて、中心位置を確認しながらカバーガラス７１の接着を行っていた。このため、作業に熟練を要し、作業者によって寸法精度にばらつきが生じていた。
【００４３】
本実施形態においては、図１３の二点鎖線で示すようにカバーガラス７２を略８角形形状、即ち、カバーガラス７２の周囲に直線部分を設けるようにした。
【００４４】
このように、カバーガラスの周囲に直線部を設けるように形成したことによって、この直線部が基準面となるように治工具に対応させることによって、計測用顕微鏡などで中心位置を確認しながらの作業を省いて組立を容易に行えるので、作業時間の大幅な短縮及び精度の向上及び安定化を図ることができる。
【００４５】
また、図に示すように真円形状のカバーガラス７１に比べて、略８角形形状のカバーガラス７２では接着面積が増大するので、接着強度が高まって、固定強度の信頼性を向上させることができる。
【００４６】
なお、本発明は、以上述べた実施形態のみに限定されるものではなく、発明の要旨を逸脱しない範囲で種々変形実施可能である。
【００４７】
［付記］
以上詳述したような本発明の上記実施形態によれば、以下の如き構成を得ることができる。
【００４８】
（１）観察光学系と、
この観察光学系の焦点位置に撮像面を配置した固体撮像素子と、
この固体撮像素子の撮像面を被覆する光透過性の被覆部材と、
前記固体撮像素子に接続する回路配線基板と、
前記固体撮像素子、または、回路配線基板に接続される信号伝送ケーブルと、
前記固体撮像素子の撮像面より前記観察光学系側に配設され、前記観察光学系の光軸に対して所定の方向に偏心した開口部を有する遮光マスクと、
を具備した撮像装置。
【００４９】
（２）処置具チャンネルを有する内視鏡の先端部に配設される撮像装置であって、
観察光学系と、
この観察光学系の焦点位置に撮像面を配置した固体撮像素子と、
この固体撮像素子の撮像面を被覆する光透過性の被覆部材と、
前記固体撮像素子に接続する回路配線基板と、
前記固体撮像素子、または、回路配線基板に接続される信号伝送ケーブルと、
前記固体撮像素子の撮像面より前記観察光学系側に配設され、前記観察光学系の光軸に対して、内視鏡の処置具チャンネル側に偏心した開口部を有する遮光マスクと、
を具備した撮像装置。
【００５０】
このことにより、内視鏡に設けられている処置具挿通用チャンネルを考慮して遮光マスクの開口部が偏心して設けられているので、鉗子等に反射した高輝度の光が固体撮像素子の撮像面に入射することを遮れる。
【００５１】
（３）処置具チャンネルを有する内視鏡の先端部に配設される撮像装置であって、
観察光学系と、
この観察光学系の焦点位置に撮像面を配置した固体撮像素子と、
この固体撮像素子の撮像面を被覆する光透過性の被覆部材と、
前記固体撮像素子に接続する回路配線基板と、
前記固体撮像素子、または、回路配線基板に接続される信号伝送ケーブルと、
前記観察光学系の基端側であって、且つ前記固体撮像素子の撮像面より先端部側に配置され、前記観察光学系の光軸に対して、内視鏡の処置具チャンネル側に偏心した開口部を有する遮光マスクと、
を具備した撮像装置。
【００５２】
（４）処置具チャンネルを有する内視鏡の先端部に配設される撮像装置であって、
観察光学系と、
この観察光学系の焦点位置に撮像面を配置した固体撮像素子と、
この固体撮像素子の撮像面を被覆する光透過性の被覆部材と、
前記固体撮像素子に接続する回路配線基板と、
前記固体撮像素子、または、回路配線基板に接続される信号伝送ケーブルと、
前記固体撮像素子の撮像面より前記観察光学系側に配設され、前記観察光学系の光軸に対して偏心して、前記固体撮像素子の撮像面に近接しているボンディングパッド側の開口端部を前記撮像面の内側に位置するように形成した遮光マスクと、
を具備した撮像装置。
【００５３】
このことにより、撮像面の外周部に配置されているボンディングパッドが撮像面に近接していても、遮光マスクの開口部端が撮像面の内側に位置するように観察光学系の光軸に対して偏心しているので、撮像面の周辺部に配置されているボンディングバッドなどに光が入射することを遮れる。
【００５４】
（５）前記遮光マスクは、反射防止処理を施した金属板である付記１乃至付記４記載の撮像装置。
【００５５】
【発明の効果】
以上説明したように本発明によれば、固体撮像素子の受光面周辺に外光が入射することを防止した内視鏡装置を提供することができる。
【図面の簡単な説明】
【図１】図１ないし図５は本発明の第１実施形態に係り、図１は
内視鏡装置の概略構成を示す説明図
【図２】撮像装置の構成を説明する正面図
【図３】撮像装置の構成を説明する側面図
【図４】遮光マスクと受光面との位置関係を示す説明図
【図５】撮像装置の遮光マスクの作用を説明する図
【図６】図６は本発明の第２実施形態に係る撮像装置のＳＩＤ近傍の構成を示す説明図
【図７】回路配線基板上に設けられている導体部を覆う保護コートを説明する図
【図８】図８及び図９はＹＡＧ遮光テープの配置例を示す図であり、図８は
遮光テープを配置した撮像装置の構成を説明する側面図
【図９】遮光テープを配置した撮像装置の構成を説明する正面図
【図１０】図１０及び図１１は回路配線基板の構成例を示す図であり、図１０は
回路配線基板の配置位置を示す説明図
【図１１】回路配線基板の大きさを比較する図
【図１２】対物レンズユニット内に配置されている絞り部材の配置位置を説明する図
【図１３】カバーガラスの形状の１例を示す説明図
【図１４】図１４ないし図１７は従来例に係り、図１４は
ワイヤボンディング方式によるＳＩＤパッケージを示す説明図
【図１５】フェースダウンボンディング方式によるＳＩＤパッケージを示す説明図
【図１６】内視鏡の使用状態と不具合例を示す説明図
【図１７】ＳＩＤチップの受光面からボンディングパッドまでの距離と入射する光線との関係を示す説明図
【符号の説明】
２０…撮像装置
２１…対物レンズユニット
２２…ＳＩＤ
２３，２４…カバーガラス
２５…回路配線基板
２６…信号伝送ケーブル
２７…遮光マスク
【図１】
0003698839.tif 000002
【図２】
0003698839.tif 000003
【図３】
0003698839.tif 000004
【図４】
0003698839.tif 000005
【図５】
0003698839.tif 000006
【図６】
0003698839.tif 000007
【図７】
0003698839.tif 000008
【図８】
0003698839.tif 000009
【図９】
0003698839.tif 000010
【図１０】
0003698839.tif 000011
【図１１】
0003698839.tif 000012
【図１２】
0003698839.tif 000013
【図１３】
0003698839.tif 000014
【図１４】
0003698839.tif 000015
【図１５】
0003698839.tif 000016
【図１６】
0003698839.tif 000017
【図１７】
0003698839.tif 000018